(57)【特許請求の範囲】
【請求項１】
空調対象空間である複数の部屋に調和空気を供給する室内機と、
前記室内機と各前記部屋とを直接または非居住空間を介して接続するダクトと、を備え、
各前記部屋には前記室内機からの調和空気が吹き出される吹出口が形成されており、
各前記吹出口には前記部屋に送風するファンが設けられており、
各前記ファンを制御する制御装置と、
各前記部屋に圧力を検知する圧力センサと、を備え、
前記制御装置は、
隣接する前記部屋間で上流と下流とを設定し、
上流の前記部屋の前記圧力と下流の前記部屋の前記圧力とを比較し、
上流の前記部屋の前記圧力が下流の前記部屋の前記圧力以下であると判定した場合、
上流の前記部屋の前記ファンの回転速度を上げ、下流の前記部屋の前記ファンの回転速度を下げる
空調システム。
【請求項２】
各前記部屋に室温を検知する温度センサを備え、
前記制御装置は、
前記室温と設定温度とを比較し、
前記室温が前記設定温度に達していると判定した場合、前記部屋の前記ファンの回転速度を下げ、
前記室温が前記設定温度に達していないと判定した場合、前記部屋の前記ファンの回転速度を上げる
請求項１に記載の空調システム。
【請求項３】
各前記部屋に輻射熱を検知する輻射熱センサを備え、
前記制御装置は、
前記輻射熱センサにより検知した輻射熱に応じて前記室温を補正し、補正処理後の前記室温と前記設定温度とを比較する
請求項２に記載の空調システム。
【請求項４】
各前記部屋に在室人数を検知する人感センサを備え、
前記制御装置は、
前記人感センサにより検知した在室人数に応じて前記室温を補正し、補正処理後の前記室温と前記設定温度とを比較する
請求項２に記載の空調システム。
【請求項５】
少なくとも一つの部屋に臭気濃度を検知する臭気センサを備え、
前記制御装置は、
前記臭気濃度とあらかじめ設定された閾値とを比較し、
前記臭気濃度が前記閾値に達していると判定した場合、
該部屋に前記ファンが設けられていたら該ファンを停止する
請求項２〜４のいずれか一項に記載の空調システム。
【請求項６】
前記制御装置は、
前記臭気濃度が前記閾値に達していると判定した場合、
前記臭気濃度が前記閾値に達していると判定した前記部屋に隣接する前記部屋の前記ファンの回転速度を上げる
請求項５に記載の空調システム。
【発明の詳細な説明】
【技術分野】
【０００１】  本発明は、一つの室内機で複数の部屋の空気調和を行う空調システムに関するものである。
【背景技術】
【０００２】  近年の建物の高断熱高気密化により、建物全体あるいは複数の部屋を高効率に空調することが可能となった。従来、一つの室内機で空調された空気をダクトで接続された複数の部屋へ送ることで、複数の部屋の空調を行う技術がある。しかしながら、その技術では、一つの室内機で空調された空気をダクトで接続された複数の部屋へ送るため、部屋ごとの空調能力を調整することおよび部屋間の気流を制御することが困難であった。部屋ごとの空調能力を調整するおよび部屋間の気流を制御することが可能となれば、部屋ごとで要求される快適性の差異への対応および省エネルギー化が可能となる。【０００３】  そこで、部屋ごとの空調能力を調整するために室内機から各部屋へ接続されたダクト上に開閉弁が設けられた技術がある（例えば、特許文献１参照）。特許文献１では、室内機から各部屋へ接続されたダクト上に設けられた開閉弁を開閉することで、各部屋への調和空気の供給を制御している。
【先行技術文献】
【特許文献】
【０００４】
【特許文献１】特開２０１０−１３９１２９号公報
【発明の概要】
【発明が解決しようとする課題】
【０００５】  しかしながら、特許文献１のように、開閉弁の開閉による各部屋への調和空気の供給制御では、部屋ごとの空調能力の調整ができない。そのため、部屋ごとの異なる空調負荷に応えることが困難であるという課題があった。【０００６】  本発明は、以上のような課題を解決するためになされたもので、各部屋の空調能力を調整し、部屋ごとの空調負荷に応えることが可能な空調システムを提供することを目的としている。
【課題を解決するための手段】
【０００７】
本発明に係る空調システムは、空調対象空間である複数の部屋に調和空気を供給する室内機と、前記室内機と各前記部屋とを直接または非居住空間を介して接続するダクトと、を備え、各前記部屋には前記室内機からの調和空気が吹き出される吹出口が形成されており、各前記吹出口には前記部屋に送風するファンが設けられており、各前記ファンを制御する制御装置と、各前記部屋に圧力を検知する圧力センサと、を備え、前記制御装置は、隣接する前記部屋間で上流と下流とを設定し、上流の前記部屋の前記圧力と下流の前記部屋の前記圧力とを比較し、上流の前記部屋の前記圧力が下流の前記部屋の前記圧力以下であると判定した場合、上流の前記部屋の前記ファンの回転速度を上げ、下流の前記部屋の前記ファンの回転速度を下げるものである。
【発明の効果】
【０００８】  本発明に係る空調システムによれば、各吹出口には部屋に送風するファンが設けられている。そのため、各吹出口に設けられているファンの回転数を調整することで、各部屋の空調能力を調整し、部屋ごとの空調負荷に応えることができる。
【図面の簡単な説明】
【０００９】
【図１】本発明の実施の形態１に係る空調システムを説明する模式図である。
【図２】図１のＺ１−Ｚ１断面の矢視図である。
【図３】図２の変形例を示す図である。
【図４】本発明の実施の形態１に係る空調システムの機能ブロック図である。
【図５】本発明の実施の形態１に係る空調システムのファン制御を示すフローチャートである。
【図６】本発明の実施の形態２に係る空調システムを説明する模式図である。
【図７】図６のＺ２−Ｚ２断面の矢視図である。
【図８】本発明の実施の形態２に係る空調システムのファン制御を示すフローチャートである。
【図９】本発明の実施の形態３に係る空調システムを説明する模式図である。
【図１０】図９のＺ３−Ｚ３断面の矢視図である。
【図１１】本発明の実施の形態３に係る空調システムのファン制御を示すフローチャートである。
【図１２】本発明の実施の形態４に係る空調システムを説明する模式図である。
【図１３】図１２のＺ４−Ｚ４断面の矢視図である。
【図１４】本発明の実施の形態４に係る空調システムのファン制御を示すフローチャートである。
【図１５】本発明の実施の形態５に係る空調システムを説明する模式図である。
【図１６】本発明の実施の形態５に係る空調システムのファン制御を示すフローチャートである。
【発明を実施するための形態】
【００１０】  以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】  実施の形態１．  図１は、本発明の実施の形態１に係る空調システムを説明する模式図である。図２は、図１のＺ１−Ｚ１断面の矢視図である。図３は、図２の変形例を示す図である。図４は、本発明の実施の形態１に係る空調システムの機能ブロック図である。  本実施の形態１に係る空調システムは、図１〜図２に示すように、複数の部屋Ａ−１〜部屋Ｈが設けられた家屋１００を空調するものである。なお、以下において、部屋Ａ−１、Ａ−２の総称を部屋Ａと称する。
【００１２】  空調システムは、互いに冷媒配管３で接続されて冷凍サイクルを構成する室外機１および室内機２を備えている。また、空調対象空間である部屋Ａ〜Ｇには、室内機２から供給された調和空気の吹出口１１ａ〜１８ａがそれぞれ設けられている。なお、非空調対象空間である部屋Ｈには、吹出口が設けられていない。そして、室内機２と各吹出口１１ａ〜１８ａとは、ダクト４によって接続されている。この場合、ダクト４は、室内機２と空調対象空間である複数の部屋Ａ〜Ｇとを直接接続している。
【００１３】  なお、図３に示すように、室内機２と各吹出口１１ａ〜１８ａとは、ダクト４と天井裏などの非居住空間５とを介して接続されている構成でもよい。この場合、ダクト４は、室内機２と空調対象空間である複数の部屋Ａ〜Ｇとを、非居住空間５を介して接続している。
【００１４】  各吹出口１１ａ〜１８ａの近傍には、部屋Ａ〜Ｇに送風するファン１１〜１８がそれぞれ設けられている。また、空調対象空間である部屋Ａ〜Ｇには、室温を検知する温度センサ２１〜２８がそれぞれ設けられている。温度センサ２１〜２８は、例えばサーミスタである。
【００１５】  また、空調システムは、温度センサ２１〜２８の検知値に基づいてファン１１〜１８を制御する制御装置３０を備えている。この制御装置３０は、例えば、専用のハードウェア、またはメモリに格納されるプログラムを実行するＣＰＵ（Central Processing Unit、中央処理装置、処理装置、演算装置、マイクロプロセッサ、プロセッサともいう）で構成される。
【００１６】  制御装置３０は、図４に示すように、取得部３１と、記憶部３２と、演算比較部３３と、駆動部３４と、タイマ部３５とを備えている。取得部３１は、温度センサ２１〜２８の検知した室温を取得する。記憶部３２は、部屋Ａ〜Ｇごとの設定温度を記憶する。演算比較部３３は、取得部３１から取得した室温と記憶部３２に記憶されている設定温度との比較を行う。また、演算比較部３３は、必要に応じて取得部３１から取得した室温を補正する。駆動部３４は、演算比較部３３での比較結果に基づいてファン１１〜１８の制御を行う。タイマ部３５は、駆動部３４の制御結果に基づいて時間の計測を行う。
【００１７】  図５は、本発明の実施の形態１に係る空調システムのファン制御を示すフローチャートである。  次に、本発明の実施の形態１に係る空調システムのファン制御を、図５を用いて説明する。
【００１８】（ステップＳ１０１）  取得部３１は、温度センサ２１〜２８から、各部屋Ａ〜Ｇの室温を取得する。
【００１９】（ステップＳ１０２）  演算比較部３３は、各部屋Ａ〜Ｇに対して、取得部３１が取得した室温と記憶部３２に記憶されている設定温度との比較を行う。演算比較部３３が、室温が設定温度に達していると判定した場合（ＹＥＳ）、ステップＳ１０３の処理へ進む。一方、演算比較部３３が、室温が設定温度に達していないと判定した場合（ＮＯ）、ステップＳ１０４の処理へ進む。ここで、室温が設定温度に達しているとは、冷房運転時は、室温≦設定温度であり、暖房運転時は、室温≧設定温度である。なお、室温が設定温度に達しているかどうかの判定は、冷房運転時は室温が設定温度を下回っているかどうか、暖房運転時は室温が設定温度を上回っているかどうかの判定でもよい。
【００２０】（ステップＳ１０３）  駆動部３４は、室温が設定温度に達していた部屋Ａ〜Ｇのファン１１〜１８の回転速度を下げ、その部屋Ａ〜Ｇの空調能力を小さくする。なお、駆動部３４は、回転速度を一定値だけ下げるようにしてもよいし、室温と設定温度の差分に応じて回転速度を下げるようにしてもよい。
【００２１】（ステップＳ１０４）  駆動部３４は、室温が設定温度に達していない部屋Ａ〜Ｇのファン１１〜１８の回転速度を上げ、その部屋Ａ〜Ｇの空調能力を大きくする。なお、駆動部３４は、回転速度を一定値だけ上げるようにしてもよいし、室温と設定温度の差分に応じて回転速度を上げるようにしてもよい。
【００２２】（ステップＳ１０５）  タイマ部３５は、時間の計測を開始する。
【００２３】（ステップＳ１０６）  演算比較部３３は、タイマ部３５の計測している時間と記憶部３２に記憶されている一定時間とを比較する。演算比較部３３が、時間の計測を開始後、一定時間経過していると判定した場合（ＹＥＳ）、ステップＳ１０１の処理に戻る。一方、演算比較部３３が、時間の計測を開始後、一定時間経過していないと判定した場合（ＮＯ）、再度ステップＳ１０６の処理を行う。
【００２４】  なお、ステップＳ１０２〜Ｓ１０４の処理では、ファン１１〜１８の回転速度を常に変更して制御を行っているが、それに限定されない。例えば、室温が設定温度に対して所定値よりも離れたらファン１１〜１８の回転速度を変更するようにし、室温が設定温度に対して所定値以内であればファン１１〜１８の回転速度を変更せずにそのままとなるように制御してもよい。
【００２５】  以上、本実施の形態１に係る空調システムは、空調対象空間である複数の部屋Ａ〜Ｇに調和空気を供給する室内機２と、室内機２と各部屋Ａ〜Ｇとを直接または非居住空間５を介して接続するダクト４と、を備え、各部屋Ａ〜Ｇには室内機２からの調和空気が吹き出される吹出口１１ａ〜１８ａが形成されており、各吹出口１１ａ〜１８ａには部屋Ａ〜Ｇに送風するファン１１〜１８が設けられているものである。
【００２６】  本実施の形態１に係る空調システムによれば、各吹出口１１ａ〜１８ａには部屋Ａ〜Ｇに送風するファン１１〜１８が設けられている。そのため、各吹出口１１ａ〜１８ａに設けられているファン１１〜１８の回転数を調整することで、各部屋Ａ〜Ｇの空調能力を調整し、部屋Ａ〜Ｇごとの空調負荷に応えることができる。
【００２７】  また、本実施の形態１に係る空調システムは、各部屋Ａ〜Ｇに室温を検知する温度センサ２１〜２８を備えている。そして、制御装置３０は、温度センサ２１〜２８により検知した室温と設定温度とを比較し、室温が設定温度に達していると判定した場合、部屋Ａ〜Ｇのファン１１〜１８の回転速度を下げ、室温が設定温度に達していないと判定した場合、部屋Ａ〜Ｇのファン１１〜１８の回転速度を上げるものである。
【００２８】  本実施の形態１に係る空調システムによれば、温度センサ２１〜２８により検知した室温と設定温度とを比較して、部屋Ａ〜Ｇのファン１１〜１８の回転速度を制御するため、各部屋Ａ〜Ｇの空調能力を調整し、部屋Ａ〜Ｇごとの空調負荷に応えることができる。
【００２９】  実施の形態２．  以下、本発明の実施の形態２について説明するが、実施の形態１と重複するものについては説明を省略し、実施の形態１と同じ部分または相当する部分には同じ符号を付す。
【００３０】  図６は、本発明の実施の形態２に係る空調システムを説明する模式図である。図７は、図６のＺ２−Ｚ２断面の矢視図である。  図６および図７に示すように、空調対象空間である部屋Ａ〜Ｇには、床、壁、天井などからの輻射熱を検知する輻射熱センサ４１〜４８がそれぞれ設けられている。なお、それ以外は実施の形態１と同じ構成である。
【００３１】  図８は、本発明の実施の形態２に係る空調システムのファン制御を示すフローチャートである。  次に、本発明の実施の形態２に係る空調システムのファン制御を、図８を用いて説明する。
【００３２】（ステップＳ２０１）  取得部３１は、温度センサ２１〜２８から、各部屋Ａ〜Ｇの室温を取得するとともに、輻射熱センサ４１〜４８から、各部屋Ａ〜Ｇの輻射熱を取得する。
【００３３】（ステップＳ２０２）  演算比較部３３は、各部屋Ａ〜Ｇに対して、取得部３１が取得した輻射熱に応じて、取得部３１が取得した室温の補正を行う。例えば、冷房運転時、演算比較部３３は、輻射熱が記憶部３２に記憶されている第一閾値よりも大きい場合は、室温に対して温度をプラスする補正を行い、第一閾値よりも大きくない場合は、補正を行わない。また、暖房運転時、演算比較部３３は、輻射熱が記憶部３２に記憶されている第二閾値よりも小さい場合は、室温に対して温度をマイナスする補正を行い、第二閾値よりも小さくない場合は、補正を行わない。なお、第一閾値と第二閾値とは同じ値でもよいし、異なる値でもよい。ここで、冷房運転時、日射および外気などによる輻射熱が大きい場合、人は実際の室温よりも暑く感じ、暖房運転時、日射および外気などによる輻射熱が小さい場合、人は実際の室温よりも寒く感じる。つまり、冷房運転時に輻射熱が大きい場合、または、暖房運転時に輻射熱が小さい場合、人の体感温度と室温との差が大きくなる。そこで、上記のように補正を行うことで、室温を人の体感温度に近づけている。
【００３４】（ステップＳ２０３）  演算比較部３３は、各部屋Ａ〜Ｇに対して、ステップＳ２０２の補正処理後の室温と記憶部３２に記憶されている設定温度との比較を行う。演算比較部３３が、補正処理後の室温が設定温度に達していると判定した場合（ＹＥＳ）、ステップＳ２０４の処理へ進む。一方、演算比較部３３が、補正処理後の室温が設定温度に達していないと判定した場合（ＮＯ）、ステップＳ２０５の処理へ進む。ここで、補正処理後の室温が設定温度に達しているとは、冷房運転時は、補正処理後の室温≦設定温度であり、暖房運転時は、補正処理後の室温≧設定温度である。なお、補正処理後の室温が設定温度に達しているかどうかの判定は、冷房運転時は補正処理後の室温が設定温度を下回っているかどうか、暖房運転時は補正処理後の室温が設定温度を上回っているかどうかの判定でもよい。
【００３５】（ステップＳ２０４）  駆動部３４は、補正処理後の室温が設定温度に達していた部屋Ａ〜Ｇのファン１１〜１８の回転速度を下げ、その部屋Ａ〜Ｇの空調能力を小さくする。なお、駆動部３４は、回転速度を一定値だけ下げるようにしてもよいし、補正処理後の室温と設定温度の差分に応じて回転速度を下げるようにしてもよい。
【００３６】（ステップＳ２０５）  駆動部３４は、補正処理後の室温が設定温度に達していない部屋Ａ〜Ｇのファン１１〜１８の回転速度を上げ、その部屋Ａ〜Ｇの空調能力を大きくする。なお、駆動部３４は、回転速度を一定値だけ上げるようにしてもよいし、補正処理後の室温と設定温度の差分に応じて回転速度を上げるようにしてもよい。
【００３７】（ステップＳ２０６）  タイマ部３５は、時間の計測を開始する。
【００３８】（ステップＳ２０７）  演算比較部３３は、タイマ部３５の計測している時間と記憶部３２に記憶されている一定時間とを比較する。演算比較部３３が、時間の計測を開始後、一定時間経過していると判定した場合（ＹＥＳ）、ステップＳ２０１の処理に戻る。一方、演算比較部３３が、時間の計測を開始後、一定時間経過していないと判定した場合（ＮＯ）、再度ステップＳ２０７の処理を行う。
【００３９】  なお、ステップＳ２０３〜Ｓ２０５の処理では、ファン１１〜１８の回転速度を常に変更して制御を行っているが、それに限定されない。例えば、補正処理後の室温が設定温度に対して所定値よりも離れたらファン１１〜１８の回転速度を変更するようにし、補正処理後の室温が設定温度に対して所定値以内であればファン１１〜１８の回転速度を変更せずにそのままとなるように制御してもよい。
【００４０】  以上、本実施の形態２に係る空調システムは、各部屋Ａ〜Ｇに輻射熱を検知する輻射熱センサ４１〜４８を備え、制御装置３０は、輻射熱センサ４１〜４８により検知した輻射熱に応じて室温を補正し、補正処理後の室温と設定温度とを比較するものである。
【００４１】  本実施の形態２に係る空調システムによれば、輻射熱センサ４１〜４８により検知した輻射熱に応じて室温を補正するため、各部屋Ａ〜Ｇの室温を人の体感温度に近い温度に調整することができ、快適性を向上させることができる。
【００４２】  実施の形態３．  以下、本発明の実施の形態３について説明するが、実施の形態１および２と重複するものについては説明を省略し、実施の形態１および２と同じ部分または相当する部分には同じ符号を付す。
【００４３】  図９は、本発明の実施の形態３に係る空調システムを説明する模式図である。図１０は、図９のＺ３−Ｚ３断面の矢視図である。  図９および図１０に示すように、空調対象空間である部屋Ａ〜Ｇには、人を検知する人感センサ５１〜５８がそれぞれ設けられている。人感センサ５１〜５８は、例えば赤外線センサである。なお、それ以外は実施の形態１と同じ構成である。
【００４４】  図１１は、本発明の実施の形態３に係る空調システムのファン制御を示すフローチャートである。  次に、本発明の実施の形態３に係る空調システムのファン制御を、図１１を用いて説明する。
【００４５】（ステップＳ３０１）  取得部３１は、温度センサ２１〜２８から、各部屋Ａ〜Ｇの室温を取得するとともに、人感センサ５１〜５８から、各部屋Ａ〜Ｇの在室人数を取得する。
【００４６】（ステップＳ３０２）  演算比較部３３は、各部屋Ａ〜Ｇに対して、取得部３１が取得した在室人数に応じて、取得部３１が取得した室温の補正を行う。例えば、演算比較部３３は、在室人数がＮ人の場合は、室温に対してＮ×Ｔ℃をプラスする補正を行う。ここで、在室人数が多い場合、人は実際の室温よりも暑く感じる。つまり、在室人数が多い場合、人の体感温度と室温との差が大きくなる。そこで、上記のように補正を行うことで、室温を人の体感温度に近づけている。
【００４７】（ステップＳ３０３）  演算比較部３３は、各部屋Ａ〜Ｇに対して、ステップＳ３０２の補正処理後の室温と記憶部３２に記憶されている設定温度との比較を行う。演算比較部３３が、補正処理後の室温が設定温度に達していると判定した場合（ＹＥＳ）、ステップＳ３０４の処理へ進む。一方、演算比較部３３が、補正処理後の室温が設定温度に達していないと判定した場合（ＮＯ）、ステップＳ３０５の処理へ進む。ここで、補正処理後の室温が設定温度に達しているとは、冷房運転時は、補正処理後の室温≦設定温度であり、暖房運転時は、補正処理後の室温≧設定温度である。なお、補正処理後の室温が設定温度に達しているかどうかの判定は、冷房運転時は補正処理後の室温が設定温度を下回っているかどうか、暖房運転時は補正処理後の室温が設定温度を上回っているかどうかの判定でもよい。
【００４８】（ステップＳ３０４）  駆動部３４は、補正処理後の室温が設定温度に達していた部屋Ａ〜Ｇのファン１１〜１８の回転速度を下げ、その部屋Ａ〜Ｇの空調能力を小さくする。なお、駆動部３４は、回転速度を一定値だけ下げるようにしてもよいし、補正処理後の室温と設定温度の差分に応じて回転速度を下げるようにしてもよい。
【００４９】（ステップＳ３０５）  駆動部３４は、補正処理後の室温が設定温度に達していない部屋Ａ〜Ｇのファン１１〜１８の回転速度を上げ、その部屋Ａ〜Ｇの空調能力を大きくする。なお、駆動部３４は、回転速度を一定値だけ上げるようにしてもよいし、補正処理後の室温と設定温度の差分に応じて回転速度を上げるようにしてもよい。
【００５０】（ステップＳ３０６）  タイマ部３５は、時間の計測を開始する。
【００５１】（ステップＳ３０７）  演算比較部３３は、タイマ部３５の計測している時間と記憶部３２に記憶されている一定時間とを比較する。演算比較部３３が、時間の計測を開始後、一定時間経過していると判定した場合（ＹＥＳ）、ステップＳ３０１の処理に戻る。一方、演算比較部３３が、時間の計測を開始後、一定時間経過していないと判定した場合（ＮＯ）、再度ステップＳ３０７の処理を行う。
【００５２】  なお、ステップＳ３０３〜Ｓ３０５の処理では、ファン１１〜１８の回転速度を常に変更して制御を行っているが、それに限定されない。例えば、補正処理後の室温が設定温度に対して所定値よりも離れたらファン１１〜１８の回転速度を変更するようにし、補正処理後の室温が設定温度に対して所定値以内であればファン１１〜１８の回転速度を変更せずにそのままとなるように制御してもよい。
【００５３】  以上、本実施の形態３に係る空調システムは、各部屋Ａ〜Ｇに在室人数を検知する人感センサ５１〜５８を備え、制御装置３０は、人感センサ５１〜５８により検知した在室人数に応じて室温を補正し、補正処理後の室温と設定温度とを比較するものである。
【００５４】  本実施の形態３に係る空調システムによれば、人感センサ５１〜５８により検知した在室人数に応じて室温を補正するため、各部屋Ａ〜Ｇの室温を人の体感温度に近い温度に調整することができ、快適性を向上させることができる。
【００５５】  実施の形態４．  以下、本発明の実施の形態４について説明するが、実施の形態１〜３と重複するものについては説明を省略し、実施の形態１〜３と同じ部分または相当する部分には同じ符号を付す。
【００５６】  図１２は、本発明の実施の形態４に係る空調システムを説明する模式図である。図１３は、図１２のＺ４−Ｚ４断面の矢視図である。  図１２および図１３に示すように、空調対象空間である部屋Ａ〜Ｇには、圧力を検知する圧力センサ６１〜６８がそれぞれ設けられている。また、隣接する部屋Ａ〜Ｇ間の気流の方向があらかじめ設定されており、その情報が記憶部３２に記憶されている。例えば、部屋Ａ−１および部屋Ａ−２の気流の方向はＡ−２からＡ−１の方向に設定され、Ａ−２が上流、Ａ−１が下流に設定される。なお、それ以外は実施の形態１と同じ構成である。
【００５７】  図１４は、本発明の実施の形態４に係る空調システムのファン制御を示すフローチャートである。  次に、本発明の実施の形態４に係る空調システムのファン制御を、図１４を用いて説明する。
【００５８】（ステップＳ４０１）  取得部３１は、圧力センサ６１〜６８から、各部屋Ａ〜Ｇの圧力を取得する。
【００５９】（ステップＳ４０２）  演算比較部３３は、各隣接する部屋Ａ〜Ｇ間に対して、記憶部３２に記憶されている隣接する部屋Ａ〜Ｇ間の気流の方向に基づいて、圧力の比較を行う。演算比較部３３は、上流の部屋Ａ〜Ｇの圧力が下流の部屋Ａ〜Ｇの圧力以下であると判定した場合（ＹＥＳ）、ステップＳ４０３の処理へ進む。一方、演算比較部３３は、上流の部屋Ａ〜Ｇの圧力が下流の部屋Ａ〜Ｇの圧力より大きいと判定した場合（ＮＯ）、ステップＳ４０４へ進む。なお、上流の部屋Ａ〜Ｇの圧力が下流の部屋Ａ〜Ｇの圧力以下であるかどうかの判定は、上流の部屋Ａ〜Ｇの圧力が下流の部屋Ａ〜Ｇの圧力未満であるかどうかの判定でもよい。ここで、隣接する部屋Ａ〜Ｇ間の気流は、部屋Ａ〜Ｇ間の圧力差によって生じるため、上流の部屋Ａ〜Ｇの圧力が下流の部屋Ａ〜Ｇの圧力よりも大きければ、あらかじめ設定された気流の方向に空気が流れている。一方、上流の部屋Ａ〜Ｇの圧力が下流の部屋Ａ〜Ｇの圧力未満である場合はあらかじめ設定された気流の方向とは逆に空気が流れている。
【００６０】（ステップＳ４０３）  駆動部３４は、上流の部屋Ａ〜Ｇのファン１１〜１８の回転速度を上げるとともに、下流の部屋Ａ〜Ｇのファン１１〜１８の回転速度を下げる。駆動部３４は、このようにファン１１〜１８を制御することで、隣接する部屋Ａ〜Ｇ間に対して、あらかじめ設定された気流の方向に空気が流れるようにしている。なお、駆動部３４は、回転速度を一定値だけ上げるまたは下げるようにしてもよいし、上流の部屋Ａ〜Ｇの圧力と下流の部屋Ａ〜Ｇの圧力との差分に応じて回転速度を上げるまたは下げるようにしてもよい。
【００６１】（ステップＳ４０４）  タイマ部３５は、時間の計測を開始する。
【００６２】（ステップＳ４０５）  演算比較部３３は、タイマ部３５の計測している時間と記憶部３２に記憶されている一定時間とを比較する。演算比較部３３が、時間の計測を開始後、一定時間経過していると判定した場合（ＹＥＳ）、ステップＳ４０１の処理に戻る。一方、演算比較部３３が、時間の計測を開始後、一定時間経過していないと判定した場合（ＮＯ）、再度ステップＳ４０５の処理を行う。
【００６３】  以上、本実施の形態４に係る空調システムは、各部屋Ａ〜Ｇに圧力を検知する圧力センサ６１〜６８を備えている。そして、制御装置３０は、隣接する部屋Ａ〜Ｇ間で上流と下流とを設定し、上流の部屋Ａ〜Ｇの圧力センサ６１〜６８により検知した圧力と下流の部屋Ａ〜Ｇの圧力センサ６１〜６８により検知した圧力とを比較し、上流の部屋Ａ〜Ｇの圧力が下流の部屋Ａ〜Ｇの圧力以下であると判定した場合、上流の部屋Ａ〜Ｇのファン１１〜１８の回転速度を上げ、下流の部屋Ａ〜Ｇのファン１１〜１８の回転速度を下げるものである。
【００６４】  本実施の形態４に係る空調システムによれば、上流の部屋Ａ〜Ｇの圧力が下流の部屋Ａ〜Ｇの圧力以下である場合は、上流の部屋Ａ〜Ｇのファン１１〜１８の回転速度を上げ、下流の部屋Ａ〜Ｇのファン１１〜１８の回転速度を下げる。そのため、隣接する部屋Ａ〜Ｇ間に対して、常にあらかじめ設定された気流の方向に空気が流れるようにすることができるため、各部屋Ａ〜Ｇ間の隙間を空気が通って成り行きで気流が生じてしまうのを抑制でき、部屋Ａ〜Ｇごとの空調負荷に応えやすくすることができる。
【００６５】  また、部屋Ａ〜Ｇ間の気流を制御することで、空調が不要な部屋Ａ〜Ｇを気流から除外することができる。例えば、部屋Ｂでの空調が不要な場合、部屋Ｂに気流が生じないようにファン１１〜１８を制御することで、空調負荷を低減することができる。
【００６６】  実施の形態５．  以下、本発明の実施の形態５について説明するが、実施の形態１〜４と重複するものについては説明を省略し、実施の形態１〜４と同じ部分または相当する部分には同じ符号を付す。
【００６７】  図１５は、本発明の実施の形態５に係る空調システムを説明する模式図である。  図１５に示すように、部屋Ａ−１および部屋Ｈには、臭気濃度を検知する臭気センサ７１、７２がそれぞれ設けられている。ここで、部屋Ａ−１はキッチンであり、部屋Ｈはトイレであり、臭いを発しやすい部屋Ａ−１、Ｈに臭気センサ７１、７２が設けられている。また、臭気センサ７１、７２が設けられている部屋Ａ−１、Ｈに隣接する部屋Ａ〜Ｇの情報が記憶部３２に記憶されている。部屋Ａ−１に隣接する部屋は部屋Ａ−２および部屋Ｄであり、部屋Ｈに隣接する部屋は部屋Ｄである。また、部屋Ａ−１、Ｈにファン１１〜１８が設けられているかどうかの情報が記憶部３２に記憶されている。なお、それ以外は実施の形態１と同じ構成である。
【００６８】  図１６は、本発明の実施の形態５に係る空調システムのファン制御を示すフローチャートである。  次に、本発明の実施の形態５に係る空調システムのファン制御を、図１６を用いて説明する。
【００６９】（ステップＳ５０１）  取得部３１は、温度センサ２１〜２８から、各部屋Ａ〜Ｇの室温を取得するとともに、臭気センサ７１、７２から、部屋Ａ−１、Ｈの臭気濃度を取得する。
【００７０】（ステップＳ５０２）  演算比較部３３は、部屋Ａ−１および部屋Ｈに対して、取得部３１が取得した臭気濃度と記憶部３２に記憶されている閾値との比較を行う。演算比較部３３が、臭気濃度が閾値に達していると判定した場合（ＹＥＳ）、ステップＳ５０３の処理へ進む。一方、演算比較部３３が、臭気濃度が閾値に達していないと判定した場合（ＮＯ）、ステップＳ５０６の処理へ進む。なお、臭気濃度が閾値に達しているかどうかの判定は、臭気濃度が閾値を超えているかどうかの判定でもよい。
【００７１】（ステップＳ５０３）  演算比較部３３は、部屋Ａ−１、Ｈにファン１１〜１８が設けられているかどうかを判定する。演算比較部３３が、部屋Ａ−１、Ｈにファン１１〜１８が設けられていると判定した場合（ＹＥＳ）、ステップＳ５０４の処理へ進む。一方、演算比較部３３が、部屋Ａ−１、Ｈにファン１１〜１８が設けられていないと判定した場合（ＮＯ）、ステップＳ５０５の処理へ進む。
【００７２】（ステップＳ５０４）  駆動部３４は、部屋Ａ−１、Ｈのファン１１〜１８の回転を停止する。このように、臭気濃度が高い部屋Ａ−１、Ｈのファン１１〜１８の回転を停止することで、部屋Ａ−１、Ｈの臭いが部屋Ａ−１、Ｈに隣接する部屋Ａ−２、Ｄに広がるのを抑制することができる。
【００７３】（ステップＳ５０５）  駆動部３４は、部屋Ａ−１、Ｈに隣接する部屋Ａ−２、Ｄのファン１２、１５の回転速度を上げる。このように、臭気濃度が高い部屋Ａ−１、Ｈに隣接する部屋Ａ−２、Ｄのファン１２、１５の回転速度を上げることで、部屋Ａ−１、Ｈの臭いをその部屋Ａ−１、Ｈに閉じ込め、部屋Ａ−１、Ｈに隣接する部屋Ａ−２、Ｄに臭いが広がるのを抑制することができる。さらに、隣接する部屋Ａ−２、Ｄから臭気濃度が高い部屋Ａ−１、Ｈに調和空気を供給できるため、臭気濃度が高い部屋Ａ−１、Ｈの快適性を保つことができる。
【００７４】（ステップＳ５０６）  演算比較部３３は、各部屋Ａ〜Ｇに対して、取得部３１が取得した室温と記憶部３２に記憶されている設定温度との比較を行う。演算比較部３３が、室温が設定温度に達していると判定した場合（ＹＥＳ）、ステップＳ５０７の処理へ進む。一方、演算比較部３３が、室温が設定温度に達していないと判定した場合（ＮＯ）、ステップＳ５０８の処理へ進む。ここで、室温が設定温度に達しているとは、冷房運転時は、室温≦設定温度であり、暖房運転時は、室温≧設定温度である。なお、室温が設定温度に達しているかどうかの判定は、冷房運転時は室温が設定温度を下回っているかどうか、暖房運転時は室温が設定温度を上回っているかどうかの判定でもよい。
【００７５】（ステップＳ５０７）  駆動部３４は、室温が設定温度に達していた部屋Ａ〜Ｇのファン１１〜１８の回転速度を下げ、その部屋Ａ〜Ｇの空調能力を小さくする。なお、駆動部３４は、回転速度を一定値だけ下げるようにしてもよいし、室温と設定温度の差分に応じて回転速度を下げるようにしてもよい。
【００７６】（ステップＳ５０８）  駆動部３４は、室温が設定温度に達していない部屋Ａ〜Ｇのファン１１〜１８の回転速度を上げ、その部屋Ａ〜Ｇの空調能力を大きくする。なお、駆動部３４は、回転速度を一定値だけ上げるようにしてもよいし、室温と設定温度の差分に応じて回転速度を上げるようにしてもよい。
【００７７】（ステップＳ５０９）  タイマ部３５は、時間の計測を開始する。
【００７８】（ステップＳ５１０）  演算比較部３３は、タイマ部３５の計測している時間と記憶部３２に記憶されている一定時間とを比較する。演算比較部３３が、時間の計測を開始後、一定時間経過していると判定した場合（ＹＥＳ）、ステップＳ５０１の処理に戻る。一方、演算比較部３３が、時間の計測を開始後、一定時間経過していないと判定した場合（ＮＯ）、再度ステップＳ５１０の処理を行う。
【００７９】  なお、ステップＳ５０６〜Ｓ５０８の処理では、ファン１１〜１８の回転速度を常に変更して制御を行っているが、それに限定されない。例えば、室温が設定温度に対して所定値よりも離れたらファン１１〜１８の回転速度を変更するようにし、室温が設定温度に対して所定値以内であればファン１１〜１８の回転速度を変更せずにそのままとなるように制御してもよい。
【００８０】  また、ステップＳ５０６では、実施の形態２のステップＳ２０２、Ｓ２０３および実施の形態３のステップＳ３０２、Ｓ３０３のように、輻射熱または在室人数に応じて室温を補正し、補正処理後の室温と設定温度とを比較するようにしてもよい。
【００８１】  以上、本実施の形態５に係る空調システムは少なくとも一つの部屋Ａ−１、Ｈに臭気濃度を検知する臭気センサ７１、７２を備えている。そして、制御装置３０は、臭気センサ７１、７２により検知した臭気濃度とあらかじめ設定された閾値とを比較し、臭気濃度が閾値に達していると判定した場合、該部屋Ａ−１、Ｈに前記ファン１１〜１８が設けられていたら該ファン１１〜１８を停止するものである。
【００８２】  本実施の形態５に係る空調システムによれば、臭気濃度が高い部屋Ａ−１、Ｈにファン１１〜１８が設けられている場合はファン１１〜１８の回転を停止する。そうすることで、部屋Ａ−１、Ｈの臭いが部屋Ａ−１、Ｈに隣接する部屋Ａ−２、Ｄに広がるのを抑制することができる。
【００８３】  また、本実施の形態５に係る空調システムにおいて、制御装置３０は、臭気濃度が閾値に達していると判定した場合、臭気濃度が閾値に達していると判定した部屋Ａ−１、Ｈに隣接する部屋Ａ−２、Ｄのファン１１〜１８の回転速度を上げるものである。
【００８４】  本実施の形態５に係る空調システムによれば、臭気濃度が高い部屋Ａ−１、Ｈに隣接する部屋Ａ−２、Ｄのファン１２、１５の回転速度を上げる。そうすることで、部屋Ａ−１、Ｈの臭いをその部屋Ａ−１、Ｈに閉じ込め、部屋Ａ−１、Ｈに隣接する部屋Ａ−２、Ｄに臭いが広がるのを抑制することができる。さらに、隣接する部屋Ａ−２、Ｄから臭気濃度が高い部屋Ａ−１、Ｈに調和空気を供給できるため、臭気濃度が高い部屋Ａ−１、Ｈの快適性を保つことができる。
【００８５】  なお、実施の形態１〜実施の形態５の空調システムの構成は、適宜組み合わせることができる。
【符号の説明】
【００８６】  １  室外機、２  室内機、３  冷媒配管、４  ダクト、５  非居住空間、１１〜１８  ファン、１１ａ〜１８ａ  吹出口、２１〜２８  温度センサ、３０  制御装置、３１  取得部、３２  記憶部、３３  演算比較部、３４  駆動部、３５  タイマ部、４１〜４８  輻射熱センサ、５１〜５８  人感センサ、６１〜６８  圧力センサ、７１〜７２  臭気センサ、１００  家屋。
【図１】
0006942262.tif 000002
【図２】
0006942262.tif 000003
【図３】
0006942262.tif 000004
【図４】
0006942262.tif 000005
【図５】
0006942262.tif 000006
【図６】
0006942262.tif 000007
【図７】
0006942262.tif 000008
【図８】
0006942262.tif 000009
【図９】
0006942262.tif 000010
【図１０】
0006942262.tif 000011
【図１１】
0006942262.tif 000012
【図１２】
0006942262.tif 000013
【図１３】
0006942262.tif 000014
【図１４】
0006942262.tif 000015
【図１５】
0006942262.tif 000016
【図１６】
0006942262.tif 000017